(57)【特許請求の範囲】
【請求項１】
スライド引出自在に異径一対の内外ストローを嵌挿するとともに内側の細径ストローの差込先端部を外側の太径ストローより突出配置し且つ該外側の太径ストローの長手方向中間に蛇腹折曲部を配置したストローであって、
前記太径ストローを透明地とし、かつ、前記太径ストローに有色の識別ラインを長手方向一連に配置することによって、異径一対のうち内側の細径ストローをスライド引出用として識別自在としてなることを特徴とする蛇腹式伸縮ストロー。
【請求項２】
上記識別ラインを、前記太径ストローの外周方向に平行に複数条配置してなることを特徴とする請求項１に記載の蛇腹式伸縮ストロー。
【発明の詳細な説明】
【技術分野】
【０００１】
本発明は、例えばジュース、牛乳等の飲料を充填したパック容器に添付して、その飲用に使用する蛇腹式伸縮ストローに関する。
【背景技術】
【０００２】
この種の蛇腹式伸縮ストローは、スライド引出自在に異径一対の内外ストローを嵌挿するとともに内側の細径ストローの差込先端部を外側の太径ストローより突出配置し且つ該外側の太径ストローの長手方向中間に蛇腹折曲部を配置したものとされ、一般に、フィルム個装の状態でパック容器の壁面に接着固定したものとされている。従って需要者は、該パック容器からこれを取り外して、個装フィルムからストローを出し、内側の細径ストローを外側の太径ストローからスライド引出して全体を伸張した上で、パック容器のシール部に内側の細径ストローの差込先端部を差込んで、パック容器に充填の飲料を吸引飲用するように用いるものとされている。
【先行技術文献】
【非特許文献】
【０００３】
【非特許文献１】日本ストロー株式会社  ホームページ（ｈｔｔｐ：ｗｗｗ．ｎｉｐｐｏｎｓｔｒａｗ．ｃｏｍ）「製品紹介」頁
【発明の概要】
【発明が解決しようとする課題】
【０００４】
この場合、蛇腹式伸縮ストローは、その伸縮性によって、縮小状態でパック容器にコンパクトに添付することができ、また、蛇腹折曲部が付されているから、パック容器に対してストローを曲げ使用することができる利点があるが、一般に、フィルム個装状態でパック容器に添付されるストローは、例えば５〜１０ｃｍ程度の長さとされるところ、内側の細径のストローは、その大半が、外側の太径のストロー内に収容され、その差込先端部が、例えば０．５〜１．５ｃｍ程度突出した状態とされているために、その全体の伸張に際して、外側の太軸ストローの長手方向両端を手持ちしてそのスライド引出をしようとすると、その引出力を受けて、該外側の太軸ストローの長手方向中間の蛇腹折曲部が伸張することによって、内側の細径ストローが、外側の太軸ストロー内に没入して、ストローのスライド引出とこれによる全体の伸張が困難になり、パック容器添付のストローが使用不能になるというストロートラブルを招き易い。
【０００５】
本発明はかかる事情に鑑みてなされたもので、その解決課題とするところは、スライド引出時に内側の細径ストローが外側の太径ストローに没入するストロートラブルを可級的に防止し得るようにした蛇腹式伸縮ストローを提供するにある。
【課題を解決するための手段】
【０００６】
上記課題に沿って本発明は、蛇腹式伸縮ストローが２部材の異径一対の内外ストローが嵌挿されて構成されていることを、可及的低コストによって簡易且つ一見して確実に識別し得るように、内外一方のストローに識別ラインを配置し、識別ラインの終端位置を境界として、該一方のストローに対して他方のストローが嵌挿されていることを需要者が認識し得るようにして、上記外側の太径ストローを手持ちして伸張するストロートラブルを防止するようにしたものであって、即ち、請求項１に記載の発明を、スライド引出自在に異径一対の内外ストローを嵌挿するとともに内側の細径ストローの差込先端部を外側の太径ストローより突出配置し且つ該外側の太径ストローの長手方向中間に蛇腹折曲部を配置したストローであって、前記太径ストローを透明地とし、かつ、前記太径ストローに有色の識別ラインを長手方向一連に配置することによって、異径一対のうち内側の細径ストローをスライド引出用として識別自在としてなることを特徴とする蛇腹式伸縮ストローとしたものである。
【０００７】
請求項２に記載の発明は、上記に加えて、ストローを手持ちしたときに、上記識別ラインを常に認識し得て、識別ラインの見落しに起因する上記ストロートラブルを更に確実に解消し得るものとするように、これを、上記識別ラインを、前記太径ストローの外周方向に平行に複数条配置してなることを特徴とする請求項１に記載の蛇腹式伸縮ストローとしたものである。
【０００９】
本発明は、これらをそれぞれ発明の要旨として、上記課題解決の手段としたものである。
【００１０】
なお、本発明でストローについて透明とは、粗面化乃至マット剤添加等の措置による半透明のものを含む意味に用いる。
【発明の効果】
【００１１】
本発明は以上のとおりに構成したから、請求項１に記載の発明は、蛇腹式伸縮ストローが２部材の異径一対の内外ストローが嵌挿されて構成されていることを、可及的低コストによって簡易且つ一見して確実に識別し得るように、外側の太径ストローに識別ラインを配置し、識別ラインの終端位置を境界として、前記外側の太径のストローに対して内側の細径ストローが嵌挿されていることを需要者が認識し得るようにして、上記外側の太径ストローを手持ちして伸張する上記外側の太径ストローを手持ちして伸張するストロートラブルを防止するようにした蛇腹式伸縮ストローを提供できる。
【００１２】
請求項２に記載の発明は、上記に加えて、ストローを手持ちしたときに、上記識別ラインを常に認識し得て、識別ラインの見落しに起因する上記ストロートラブルを更に確実に解消し得るものとすることができる。
【図面の簡単な説明】
【００１４】
【図１】蛇腹式伸縮ストローの正面図である。
【図２】蛇腹式伸縮ストローを伸張した状態の正面図である。
【図３】内側の細径ストローの正面図である。
【図４】外側の太径ストローの正面図である。
【図５】ストロートラブルの状態を示す正面図である。
【図６】蛇腹式伸縮ストローを添付したパック容器の斜視図である。
【発明を実施するための形態】
【００１５】
以下図面の例に従って本発明を更に具体的に説明すれば、Ａは、例えばジュース、牛乳等の飲料を充填したパック容器にフィルム個装して添付して、その飲用に使用するようにした、例えば、ポリプロピレン樹脂製とした蛇腹式伸縮ストローであり、該ストローＡは、スライド引出自在に異径一対の内外ストローを嵌挿するとともに内側の細径ストロー１の差込先端部１２を外側の太径ストロー２より突出配置し且つ該外側の太径ストロー２の長手方向中間に蛇腹折曲部２３を配置したものとしてあり、このとき、該ストローＡは、上記異径一対の内外一方に透明地に対して有色とし又は着色地に対して異色とした識別ライン３を長手方向一連に配置することによって異径一対のうち内側の細径ストロー１をスライド引出用として識別自在としたものとしてある。
【００１６】
本例にあって該蛇腹式伸縮ストローＡは、その伸張長さを１０ｃｍとしてあり、例えば、該異径一対のうち外側の太径ストロー２を、長さ８ｃｍ、外径０．６ｃｍ程度、内側の細径ストロー１を、長さ１０ｃｍ弱、外径０．５ｃｍ程度のものとしてあり、このとき、上記外側の太径ストロー２は、その長手方向中間、特に中央乃至中央近傍位置に、例えば縮小長さを１ｃｍ弱程度、伸張長さを２ｃｍ程度とする多段、例えば８段程度とした上記蛇腹折曲部２３を配置してある。
【００１７】
内側の径小ストロー１は、その後端に抜け止め用の径大部１１を、先端に、例えば、角度を５０°程度の鋭角とするように斜切りして形成した先端差込部１２を配置したものとしてあり、また、外側の太径ストロー２は、その後端に径内方向に屈曲した僅少幅の抜け止め２１を、先端近傍に内側に対向突出した図示省略の抜け止めリブを、また、先端に上記内側の細径ストロー１の外形に合わせて該内側の細径ストロー１の揺動を防止して、内側の細径ストロー１のスライド引出を直進案内し且つ内側の細径ストロー１の径大部１１のストッパーを兼ねる径小ガイド２２を配置したものとしてある。このとき、外側の太径ストロー２における上記後端の抜け止め２１形成前に、該外側の太径ストロー２に内側の細径ストロー１を挿入することによって、外側の太径ストロー２から内側の細径ストロー１をスライド引出して全体を伸張し、その上記先端差込部１２を、パック容器Ｂの差込口に差し込んで、その密封シールを破断しパック容器Ｂ充填の飲料を吸引するように使用するものとしてある。
【００１８】
本例にあって該蛇腹式伸縮ストローＡは、その色調を、例えば、内側の細径ストロー１を白色とし、外側の太径ストロー２を透明とした内外異色のものとしてあり、また、内側の細径ストロー１の先端差込部１２は、これを、外側の太径ストロー２の先端から、例えば１ｃｍ弱程度、即ち、上記外側の太径ストロー２における蛇腹折曲部２３の縮小長さと同等の突出長さとしてあり、これによって、該先端突出部１２の突出長さは、これを、上記蛇腹折曲部２３の伸張長さに対し同等乃至相対的に短寸、本例にあっては相対的に短寸のものとしてある。
【００１９】
このとき、本例にあって識別ライン３は、これを、上記異径一対のうちの、本例にあって透明地とした上記外側の太径ストロー２に配置してあり、該識別ライン３の配置は、該外側の太径ストロー２の押出成形を、例えば２色成形とすることによって、その長手方向全長に亘るように、長手方向中間の蛇腹折曲部２３を含めて一連に配置してあり、該識別ライン３の配置によって、該蛇腹式伸縮ストローＡが異径一対の内外ストロー１、２の嵌挿による２部材構成のものとし、このうち内側の細径ストロー１をスライド引出の対象部位としていることを、需要者が一見して識別し得るようにしてある。該識別ライン３は、上記透明地に対して、例えば、ブルー、レッド等の色調として、デザイン要素を兼ねて、その識別に適した目立つ形態をなすものとしてある。
【００２０】
識別ライン３は、上記識別可能であれば、その幅を問わないが、本例にあって該幅は、例えば０．数ｍｍから２ｍｍ程度、本例にあっては１ｍｍ弱程度の比較的細幅のものとしてある。
【００２１】
本例にあって、上記識別ライン３は、これを、上記外側の太径ストロー２の外周方向に平行に複数条、例えば２条配置したものとしてある。このとき、本例の識別ライン３は、該２条を、その外周方向表裏に１／２円の間隔を置いて配置してあり、これによって、該識別ライン３は、パック容器Ｂに透明フィルムによって個装添付した状態や、スライド引出するために手持ちした状態を含めて、常に需要者の目に触れるようにして、更に上記識別を確実になし得るようにしてある。
【００２２】
従って、先端差込部１２の突出を、上記１ｃｍ弱の長さとする一方、伸張長さが、これを超える相対的な長さの関係にある蛇腹折曲部２３を外側の太径ストロー２に備えることによって、外側の太径ストロー２の両端を手持ちしてスライド引出動作を行うことによって、内側の細径ストロー１が外側の太径ストロー２に没入する可能性を、上記識別ライン３、特に、複数条の識別ラインの配置によって可及的に防止して、需要者のストロートラブルを可及的確実に解消することができる。また、該識別ライン３は、上記外側の太径ストロー２の押出成形に際して２色成形の手法を用いてその配置を行ったから、その生産コストを可及的に防止し、蛇腹式伸縮ストローＡを可及的に低コストのものとすることができる。
【００２３】
図示した例は以上のとおりとしたが、識別ラインを、上記異径一対のうちの内側の細径ストローに配置すること、識別ラインを一対の細線によるものとすること、識別ラインを、外周方向に平行に複数条配置するとき、これを円周方向１／３円の等間隔の３条とし、また、１／４円の等間隔の４条とする如くにその条数及び間隔を適宜のものとすること等を含めて、内側の細径ストロー、その差込先端部、外側の太径ストロー、その蛇腹折曲部、これらストローの地色、識別ライン、その色調等の各具体的形状、構造、材質、寸法、これらの関係、これらに対する付加等は、上記発明の要旨に反しない限り様々な形態のものとすることができる。
【符号の説明】
【００２４】
Ａ  蛇腹式伸縮ストロー
Ｂ  パック容器
１  内側の細径ストロー
１１  径大部
１２  差込先端部
２  外側の太径ストロー
２１  抜け止め
２２  径小ガイド
２３  蛇腹折曲部
３  識別ライン
【図１】
0005713700.tif 000002
【図２】
0005713700.tif 000003
【図３】
0005713700.tif 000004
【図４】
0005713700.tif 000005
【図５】
0005713700.tif 000006
【図６】
0005713700.tif 000007